(57)【要約】【課題】落下防止扉が閉め忘れられていた場合でも、落下防止扉が損傷したり、商品が正常に払い出されなかったりすることを防止でき、しかも、製造コストが増加したり、組付けに手間や時間がかからない自動販売機の扉閉鎖装置を提供する。【解決手段】商品収納部４（４Ａ）内の商品が商品装填用開口部側へ倒れて落下することを防止する落下防止扉１１が設けられた自動販売機において、前面扉１におけるヒンジ部１８近傍箇所に、落下防止扉１１が前方傾倒開姿勢である状態で、前面扉が閉められると、落下防止扉１１に当接して、この落下防止扉１１を、中間位置を越えて起立閉姿勢側の位置まで移動させる扉押さえ部材５０を設けた。このように簡単な構成であるので、製造コストを低減させることができるとともに、組付け作業も容易に少ない時間で行うことができる。【選択図】    図１
2004178112.tif 000002
【特許請求の範囲】
【請求項１】
ヒンジ部を介して前面扉を回動自在に支持する自動販売機本体内に、商品を上下に直積みして収納する商品収納部が横方向に複数並べて配設され、
これらの並べて配設された商品収納部の手前面に開口された商品装填用開口部を、まとめて開閉することで各商品収納部内の商品が商品装填用開口部側へ倒れて落下することを防止する落下防止扉が配設され、
落下防止扉は、商品の落下を防止する起立閉姿勢から商品装填用開口部を開放して商品の装填を行うことが可能な前方傾倒開姿勢とにわたって下端部を支点として回動自在に支持されているとともに、所定の中間位置よりも起立閉姿勢側に回動されると、付勢手段により起立閉姿勢に戻されるように構成された自動販売機において、
前面扉におけるヒンジ部近傍箇所に、落下防止扉が前方傾倒開姿勢である状態で、前面扉が閉められると、落下防止扉に当接して、この落下防止扉を、中間位置を越えて起立閉姿勢側の位置まで移動させる扉押さえ部材を設けた
ことを特徴とする自動販売機の扉閉鎖装置。
【請求項２】
扉押さえ部材は、前面扉における商品収納部等が取り付けられている角部からヒンジ寄り側方へ突出するように形成されていることを特徴とする請求項１に記載の自動販売機の扉閉鎖装置。
【請求項３】
扉押さえ部材における落下防止扉に当接する箇所に、上方側ほど突出量が減少するように傾斜する傾斜部が形成されていることを特徴とする請求項１または２に記載の自動販売機の扉閉鎖装置。
【発明の詳細な説明】
【０００１】
【発明の属する技術分野】
本発明は、商品落下防止用の落下防止扉が閉め忘れられていた場合でも、前面扉を閉じることで前記落下防止扉が閉じられる自動販売機の扉閉鎖装置に関するものである。
【０００２】
【従来の技術】
図７〜図１０に示すように、たばこなどの箱型商品を販売する自動販売機においては、前面扉１を開閉自在に支持する自動販売機本体２内に上下に複数段（例えば上段、中段、下段の３段）の商品収納部４が設けられ、各商品収納部４は、上下に延びる仕切板５により左右方向に分割されて横方向に複数列並ぶように配設されている。
【０００３】
各商品収納部４の下端部には、商品を所定方向に押し出すプッシャ６を備えた商品搬送機構７が配設され、商品はこの商品搬送機構７の上面上に、上下に直積みして収納されている。
【０００４】
また、この自動販売機においては、自動販売機本体２内のスペースにおいて商品収納部４が、手前側と奥側との２つに分けられて配設されており、奥側の商品収納部４Ａは自動販売機本体２内の奥部に取り付けられ、また、手前側の商品収納部４Ｂは前面扉１の裏面に取り付けられている。そして、これらの奥側の商品収納部４Ａと手前側の商品収納部４Ｂとの間に、商品収納部４（４Ａ、４Ｂ）から払い出された商品を落下させる商品用落下通路８が設けられている。
【０００５】
なお、この自動販売機においては、図８〜図１０に示すように、自動販売機本体２内における前面扉１を支持するヒンジ部１８が設けられていない側（正面から見て左側箇所）は、上下に仕切られておらず、上下に長い商品収納部４Ｃが形成されている。また、図７〜図９における１３は商品用落下通路８に払い出された商品を受けて、前面扉１の下部に設けられた商品取出口１４に導く払出用シュートである。
【０００６】
奥側の商品収納部４Ａには、その前面部に商品装填用開口部９が設けられ、手前側の商品収納部４Ｂには、その後面部に商品装填用開口部９が設けられ、各商品装填用開口部９を通して、商品収納部４Ａ、４Ｂ内に商品を装填するようになっている。また、各商品装填用開口部９は、プッシャ６により商品が払い出される商品払出通路９ａよりも上方の箇所に、落下防止紐１０や落下防止扉１１、１２が配設されており、払い出されるべきでない商品が、商品装填用開口部９を通して、商品用落下通路８側へ落下することを防止している。
【０００７】
上段の商品収納部４や向かって左側の商品収納部４Ｃに設けられている落下防止紐１０は、各商品収納部４、４Ｃ毎に配設され、上部にスプリング１０ａが介装されているとともに、その上端部が、所定の被係止部に係脱自在のフック構造とされ、この落下防止ガイド１０が商品装填用開口部９を上下に通されて、商品が落下することを防止する構造となっている。
【０００８】
一方、奥側の中段および下段の商品収納部４Ａに設けられている落下防止扉１１や、手前側の下段の商品収納部４Ｂに設けられている落下防止扉１２は、左右に並んだ複数の商品収納部４における商品装填用開口部９をまとめて開閉する扉構造となっており、商品が落下することを防止するだけでなく、商品用落下通路８のガイドの役目も果たし、上段の商品収納部４から払い出されて商品用落下通路８の上方から落ちてくる商品が、中段や下段の商品収納部４内に入り込むことを防止するようになっている。
【０００９】
また、図１１に示すように、奥側の中段や下段の商品収納部４Ａにおける商品装填用開口部９をまとめて開閉する落下防止扉１１は、左右両端下部に、奥側に突出する支持鍔状部１１ａが形成されている。そして、この支持鍔状部１１ａの下部に取り付けられた支点軸１５を中心として、商品の落下を防止する起立閉姿勢（図１１において実線で示す）から商品装填用開口部９を開放して商品の装填を行うことが可能な前方傾倒開姿勢（図１１において仮想線で示す）とにわたって回動自在に支持されている。なお、図１１における１６は、支持鍔状部１１ａに形成された円弧状溝１１ｂに当接して落下防止扉１１の回動範囲を規制するストッパ軸、１７は、落下防止扉１１を閉鎖方向に付勢する引き戻しばねである。
【００１０】
ここで、落下防止扉１１が所定の中間位置を越えて前方傾倒開姿勢寄りの箇所に位置している場合には、落下防止扉１１が手前側に倒れようとする自重による力が比較的大きいため、この力が引き戻しばね１７の付勢力に勝って、落下防止扉１１は前方傾倒開姿勢に保持される。一方、落下防止扉１１が所定の中間位置を越えて前方傾倒開姿勢寄りの箇所に位置している場合には、落下防止扉１１が手前側に倒れようとする自重による力が比較的小さいため、この力よりも引き戻しばね１７の付勢力が勝って、落下防止扉１１は起立閉姿勢に戻される。
【００１１】
なお、手前側の下段の商品収納部４Ｂにおける商品装填用開口部９をまとめて開閉する落下防止扉１２は、前面扉１を支持するヒンジ部１８寄り側に設けられた支点１２ａ（図１０参照）を中心に開閉自在に支持されている。
【００１２】
前記奥側の中段や下段の商品収納部４に商品を装填する際には、前面扉１を開けた状態で、落下防止扉１１を手前側の前方傾倒開姿勢位置まで倒して、商品装填用開口部９を開けて、商品を装填する。そして、商品の装填が終わると、落下防止扉１１を起立閉姿勢に戻してから、前面扉１を閉じて装填操作を終了するようになっている。
【００１３】
しかしながら、商品を装填した後に、落下防止扉１１を起立閉姿勢に戻すことを忘れて、落下防止扉１１が手前側の前方傾倒開姿勢位置のままの状態で、前面扉１を閉じてしまうと、閉じ忘れた落下防止扉１１に対応する商品収納部４Ａから商品が商品用落下通路８側になだれ落ちてしまったり、上段の商品収納部４Ａから払い出された商品が半開きの落下防止扉１１上に落ちて商品が正常に払い出されなかったり、図１０（ｂ）に示すように、落下防止扉１１と前面扉１の手前側の商品収納部４Ｂや落下防止扉１２とが突き当たってしまい、落下防止扉１１、１２や商品収納部４Ｂが損傷したりする恐れがある。
【００１４】
このような不具合を防止すべく、落下防止扉１１が前方傾倒開姿勢である状態でも、前面扉１を閉じた際に、落下防止扉１１が閉められて起立閉姿勢に戻されるように構成した扉閉鎖装置２０が既に実用化されている。
【００１５】
この扉閉鎖装置２０は、図１２〜図１５に示すように、自動販売機本体２における前面扉支持用のヒンジ部１８が設けられている、自動販売機本体２における向かって右側の内壁面に沿って、薄肉の略箱型で上面部が開口されているケース体２１と、側面視して略コ字形状とされ、一端が前面扉１におけるヒンジ部１８が設けられている、向かって右側の裏面に、取付ブラケット２２を介して回動自在に支持され、他端がケース体２１の上面から下方に向けて突入された駆動レバー２３と、側面視して略Ｌ字形状とされ、角部近傍に配設された枢支ピン２４を介して、ケース体２１内の上部に回動自在に枢支され、一端のレバー受部２５ａが前記駆動レバー２３の他端に当接離反自在とされた回動リンク２５と、ケース体２１内で昇降自在に支持されたスライドリンク２６と、スライドリンク２６の上部一端と回動リンク２５の他端とを連結する連結リンク２７と、スライドリンク２６の下部と中央部とに回転自在にそれぞれ取り付けられ、ケース体２１から外側に突出されて、前方傾倒開姿勢の各落下防止扉１１に下方から当接自在の２つの当接ローラ２８とから構成されている。なお、３０は、スライドリンク２６の上部一端と連結リンク２７とを連結する連結軸２９を、上下にスライド自在に案内するスライド孔、３１は当接ローラ２８の軸部を昇降自在に案内する長溝である。
【００１６】
このような構成において、落下防止扉１１が前方傾倒開姿勢である状態で、前面扉１を閉じると、ケース体２１内に突入された駆動レバー２３の他端部が、回動リンク２５のレバー受部２５ａに当接してこのレバー受部２５ａを後方へ押し込み、これにより、回動リンク２５の他端が上方に移動するように回動し、これに連動して、連結リンク２７、スライドリンク２６ならびに当接ローラ２８が上昇する。そして、この上昇した当接ローラ２８により、前方傾倒開姿勢の落下防止扉１１が下方から持ち上げられ、落下防止扉１１は、ある程度持ち上げられると、引き戻しばね１７の力により起立閉姿勢に戻される。
【００１７】
このように扉閉鎖装置２０が設けられていることで、落下防止扉１１が閉め忘れられていた場合でも、前面扉１を閉じると、当接ローラ２８により落下防止扉１１が下方から持ち上げられて起立閉姿勢に戻されるので、この落下防止扉１１に対応する商品収納部４から商品が商品用落下通路８側になだれ落ちてしまったり、商品が正常に払い出されなかったり、落下防止扉１１が損傷したりすることが防止される。
【００１８】
また、例えば特許文献１にも、奥側の中段や下段の商品収納部における商品装填用開口部をまとめて開閉する落下防止扉を、前面扉を閉じた際に自動的に起立閉姿勢に戻すように構成した、上記従来構成の扉閉鎖装置２０と類似する構成の扉閉鎖装置が開示されている。
【００１９】
【特許文献１】
特開平１０−２３２９７０号公報
【００２０】
【発明が解決しようとする課題】
しかしながら、上記従来構成の扉閉鎖装置２０は、ケース体２１、取付ブラケット２２、駆動レバー２３、枢支ピン２４、回動リンク２５、スライドリンク２６、連結リンク２７、当接ローラ２８、連結軸２９、ガイド板３０などの多数の部品を組付けた構成であって、部品点数が多いとともに構造が複雑であるため、製造コストの増加や、組付けに多くの手間や時間がかかってしまうという課題を生じていた。
【００２１】
また、上記特許文献１に開示されている扉閉鎖装置においても、この文献における図１、図６、図７に示すように、前面扉におけるヒンジ部近傍にその一端が連結されたレバー、このレバーの他端に連結された移動体、この移動体をスライド自在に支持するレール、前記移動体の下方に取り付けられたローラ、自動販売機本体の側部内壁面に昇降自在に取り付けられたスライドプレート、スライドプレートに係合されたストッパなどの多数の部品を組付けた構成であって、部品点数が多いとともに構造が複雑であるため、製造コストの増加や、組付けに多くの手間や時間がかかってしまうという課題を生じていた。
【００２２】
本発明は上記課題を解決するもので、落下防止扉が閉め忘れられていた場合でも、落下防止扉が損傷したり、商品が正常に払い出されなかったりすることを防止でき、しかも、製造コストが増加したり、組付けに多くの手間や時間がかかったりすることのない自動販売機の扉閉鎖装置を提供することを目的とするものである。
【００２３】
【課題を解決するための手段】
上記課題を解決するために本発明の請求項１記載の自動販売機の扉閉鎖装置は、ヒンジ部を介して前面扉を回動自在に支持する自動販売機本体内に、商品を上下に直積みして収納する商品収納部が横方向に複数並べて配設され、これらの並べて配設された商品収納部の手前面に開口された商品装填用開口部を、まとめて開閉することで各商品収納部内の商品が商品装填用開口部側へ倒れて落下することを防止する落下防止扉が配設され、落下防止扉は、商品の落下を防止する起立閉姿勢から商品装填用開口部を開放して商品の装填を行うことが可能な前方傾倒開姿勢とにわたって下端部を支点として回動自在に支持されているとともに、所定の中間位置よりも起立閉姿勢側に回動されると、付勢手段により起立閉姿勢に戻されるように構成された自動販売機において、前面扉におけるヒンジ部近傍箇所に、落下防止扉が前方傾倒開姿勢である状態で、前面扉が閉められると、落下防止扉に当接して、この落下防止扉を、中間位置を越えて起立閉姿勢側の位置まで移動させる扉押さえ部材を設けたことを特徴とする。
【００２４】
この構成によれば、落下防止扉が閉め忘れられていた場合でも、前面扉を閉めると、扉押さえ部材が落下防止扉に当接して、この落下防止扉は中間位置を越えて起立閉姿勢側の位置まで移動され、付勢手段により起立閉姿勢に戻される。したがって、落下防止扉が損傷したり、商品が正常に払い出されなかったりすることを防止できる。しかも、前面扉におけるヒンジ部近傍箇所に、扉押さえ部材を設けただけの簡単な構成であるので、製造コストを低減させることができるとともに、組付け作業も容易に少ない時間で行うことができる。
【００２５】
請求項２記載の発明は、請求項１に記載の自動販売機の扉閉鎖装置において、扉押さえ部材は、前面扉における商品収納部等が取り付けられている角部からヒンジ寄り側方へ突出するように形成されていることを特徴とする。
【００２６】
請求項３記載の発明は、請求項１または２に記載の自動販売機の扉閉鎖装置において、扉押さえ部材における落下防止扉に当接する箇所に、上方側ほど突出量が減少するように傾斜する傾斜部が形成されていることを特徴とする。
【００２７】
この構成によれば、落下防止扉が前方傾倒開姿勢の際に大きな角度で開いている場合でも、扉押さえ部材に傾斜部が形成されていることで、扉押さえ部材に傾斜部が形成されずに鉛直面であった場合に比べて、当たり角度を小さくすることができて、扉押さえ部材を良好に押し上げることができる。
【００２８】
【発明の実施の形態】
以下、本発明の実施の形態にかかる自動販売機の扉閉鎖装置を図面に基づき説明する。なお、従来の自動販売機と同様な機能の構成要素には同符号を付し、その説明を省略する。
【００２９】
図１〜図３に示すように、この自動販売機においては、前面扉１におけるヒンジ部１８の近傍箇所、詳しくは、前面扉１における手前側の商品収納部４Ｂの右端部（ヒンジ部１８側端部）後端の角部に、右側方に突出する扉押さえ部材５０が配設されている。この扉押さえ部材５０は、奥側の中段および下段の商品収納部４Ａの落下防止扉１１に対応する上下高さにわたって延設され、上部には、上方側ほど突出量が減少するように傾斜する傾斜部５１が形成されている。
【００３０】
そして、前面扉１が係員などにより開けられて、商品の補充などが行われながら、奥側の商品収納部４Ａに対応する落下防止扉１１が閉め忘れて前方傾倒開姿勢である状態で前面扉１が閉じられると、この扉押さえ部材５０が落下防止扉１１に当接して、この落下防止扉１１を、中間位置を越えて起立閉姿勢側の位置まで移動させるようになっている。そして、落下防止扉１１は起立閉姿勢側の位置まで移動されると、引き戻しばね１７（図１１参照）の付勢力により、起立閉姿勢まで引き戻される。
【００３１】
この結果、落下防止扉１１が損傷したり、商品が正常に払い出されなかったりすることが防止される。しかも、前面扉１におけるヒンジ部１８近傍箇所に、扉押さえ部材５０を設けただけの簡単な構成であるので、製造コストを低減させることができるとともに、組付け作業も容易に少ない時間で行うことができる。
【００３２】
さらに、扉押さえ部材５０に形成された傾斜部５１により、落下防止扉１１が前方傾倒開姿勢の際に大きな角度で開いている場合（この実施の形態では中段の落下防止扉１１）でも、扉押さえ部材５０に傾斜部が形成されずに鉛直面であった場合に比べて、当たり角度を小さくすることができて、扉押さえ部材５０を良好に押し上げることができる。
【００３３】
また、この実施の形態においては、図４、図５に示すように、奥側の商品収納部４Ａにおける、上、中、下段に分割されている部分の左端部箇所に、前方に突出する補助扉押さえ部材６０が上下に延びるように配設されている。そして、前面扉１が係員などにより開けられて、商品の補充などが行われながら、手前側の商品収納部４Ｂに対応する落下防止扉１２が閉め忘れて開いた状態で前面扉１が閉じられると、補助扉押さえ部材６０が落下防止扉１２に当接して、落下防止扉１２が閉じられるように図られている。
【００３４】
さらに、上記の構成によれば、扉押さえ部材５０を前面扉１におけるヒンジ部１８近傍箇所に設けたので、以下の利点がある。例えば、図６に示すように、扉押さえ部材７０を、前面扉１における手前側の商品収納部４Ｂのヒンジ部１８から離れた箇所から、後方に突出させて配設した場合には、その突出量が大きくせざるを得ないとともに、商品用落下通路８を遮るなどの不具合を生じることがないように工夫しなければならないが、上記構成によれば、このようなことも不要である。
【００３５】
なお、上記実施の形態においては、扉押さえ部材５０を、手前側の商品収納部４Ｂの右端部後端の角部から、右側方に突出するように配設した場合を述べたが、これに限るものではなく、奥側の商品収納部４Ａの前面箇所を開閉する落下防止扉１１の配設箇所などに応じて、前記手前側の商品収納部４Ｂの右端部後端の角部から、斜め後方や、後方に伸びるように配設したり、前面扉１自体の背面箇所から後方などに延びるように配設したりしてもよい。
【００３６】
【発明の効果】
以上のように本発明によれば、商品収納部内の商品が商品装填用開口部側へ倒れて落下することを防止する落下防止扉が設けられた自動販売機において、前面扉におけるヒンジ部近傍箇所に、落下防止扉が前方傾倒開姿勢である状態で、前面扉が閉められると、落下防止扉に当接して、この落下防止扉を、中間位置を越えて起立閉姿勢側の位置まで移動させる扉押さえ部材を設けたことにより、落下防止扉が閉め忘れられていた場合でも、前面扉を閉めると、扉押さえ部材が落下防止扉に当接して自動的に閉じられ、落下防止扉が損傷したり、商品が正常に払い出されなかったりすることを防止できる。しかも、前面扉におけるヒンジ部近傍箇所に、扉押さえ部材を設けただけの簡単な構成であるので、製造コストを低減させることができるとともに、組付け作業も容易に少ない時間で行うことができる。
【００３７】
また、扉押さえ部材における落下防止扉に当接する箇所に、上方側ほど突出量が減少するように傾斜する傾斜部を形成したことにより、落下防止扉が前方傾倒開姿勢の際に大きな角度で開いている場合でも、扉押さえ部材に傾斜部が形成されていることで、当たり角度を小さくすることができて、扉押さえ部材を良好に押し上げることができ、信頼性が向上する。
【図面の簡単な説明】
【図１】本発明の実施の形態にかかる自動販売機の概略的な斜視図である。
【図２】同自動販売機の側面断面図である。
【図３】同自動販売機の概略的な平面図で、（ａ）は、前面扉閉鎖時を示し、（ｂ）は落下防止扉を閉じ忘れた場合に、前面扉により、奥側の商品収納部の落下防止扉を閉じる作用を説明するための図を示す。
【図４】同自動販売機の自動販売機本体の斜視図である。
【図５】同自動販売機の概略的な平面図で、（ａ）は、前面扉閉鎖時を示し、（ｂ）は落下防止扉を閉じ忘れた場合に、前面扉により、手前側の商品収納部の落下防止扉を閉じる作用を説明するための図を示す。
【図６】比較例としての自動販売機の概略的な平面図で、（ａ）は、前面扉閉鎖時を示し、（ｂ）は落下防止扉を閉じ忘れた場合に、前面扉により、奥側の商品収納部の落下防止扉を閉じる作用を説明するための図を示す。
【図７】従来の自動販売機の側面断面図である。
【図８】従来の自動販売機における自動販売機本体の斜視図で、落下防止扉が閉じられている状態を示す。
【図９】従来の自動販売機における自動販売機本体の斜視図で、落下防止扉が開けられている状態を示す。
【図１０】従来の自動販売機の概略的な平面図で、（ａ）は、前面扉閉鎖時を示し、（ｂ）は落下防止扉を閉じ忘れた場合の作用を説明するための図を示す。
【図１１】従来および本発明の自動販売機に係る落下防止扉およびその近傍箇所の側面図である。
【図１２】他の従来の自動販売機の概略的な斜視図である。
【図１３】同他の自動販売機の概略的な平面図で、（ａ）は、前面扉閉鎖時を示し、（ｂ）は落下防止扉を閉じ忘れた場合に、前面扉により、奥側の商品収納部の落下防止扉を閉じる作用を説明するための図を示す。
【図１４】同他の自動販売機における扉閉鎖装置の概略的な側面図で、落下防止扉を閉じ忘れた場合を示す。
【図１５】同他の自動販売機における扉閉鎖装置の概略的な側面図で、落下防止扉が閉じられる様子を示す。
【符号の説明】
１        前面扉
４、４Ａ、４Ｂ    商品収納部
１１      落下防止扉
１７      引き戻しばね
１８      ヒンジ部
５０      扉押さえ部材
５１      傾斜部
６０      補助扉押さえ部材
【図１】
2004178112.tif 000003
【図２】
2004178112.tif 000004
【図３】
2004178112.tif 000005
【図４】
2004178112.tif 000006
【図５】
2004178112.tif 000007
【図６】
2004178112.tif 000008
【図７】
2004178112.tif 000009
【図８】
2004178112.tif 000010
【図９】
2004178112.tif 000011
【図１０】
2004178112.tif 000012
【図１１】
2004178112.tif 000013
【図１２】
2004178112.tif 000014
【図１３】
2004178112.tif 000015
【図１４】
2004178112.tif 000016
【図１５】
2004178112.tif 000017